(57)【特許請求の範囲】
【請求項１】
縦方向と、横方向及び厚さ方向を有し、肌対向面及び非肌対向面と、透液性の内面シートと、不透液性の外面シートとの間に介在された吸収体と、前記吸収体と前記外面シートとの間に位置し、体液との接触によって呈色反応を示すインジケータを有するインジケータ手段とを含む使い捨て着用物品において、
前記吸収体と前記インジケータ手段との間には、前記吸収体の底面の少なくとも一部を被覆する複数の防漏シートが配置されており、
前記複数の防漏シートが互いに離間することによって離間部分が形成されており、
前記インジケータは、前記厚さ方向において前記離間部分と重なる領域に位置することを特徴とする前記着用物品。
【請求項２】
前記インジケータは、前記厚さ方向において前記離間部分と重なる領域にのみ位置する請求項１に記載の着用物品。
【請求項３】
前記離間部分の寸法は、前記インジケータの寸法とほぼ同じである請求項１に記載の着用物品。
【請求項４】
前記複数の防漏シートが前記横方向において互いに離間しており、前記離間部分の前記横方向の寸法は、前記吸収体の前記横方向の寸法の３〜１０％の大きさである請求項１〜３のいずれかに記載の着用物品。
【請求項５】
前記インジケータ手段は、前記インジケータの前記肌対向面側を被覆する疎水性のカバーシートをさらに有し、前記カバーシートは、前記インジケータの前記横方向の外側において、前記防漏シートと前記外面シートとのうち少なくとも一方のシートと互いに固定されている請求項１〜４のいずれかに記載の着用物品。
【請求項６】
前記カバーシートは、前記インジケータの前記横方向の外側において前記縦方向へ延びる縦断接合部を介して前記一方のシートに固定されており、前記縦断接合部は、前記カバーシートの前記縦方向の端部まで延びる請求項５に記載の着用物品。
【請求項７】
前記カバーシートは、前記インジケータよりも前記縦方向の寸法が大きく、前記インジケータの前記縦方向の外側において前記横方向へ延びる横断接合部を介して前記一方のシートに固定される請求項５又は６に記載の着用物品。
【請求項８】
前記吸収体は、前記横方向において、中央部と、前記中央部の両側に位置する両側部とを有し、前記離間部分は、前記中央部及び両側部のうちのいずれかに位置する請求項１〜７のいずれかに記載の着用物品。
【請求項９】
前記防漏シートは、前記吸収体の前記非肌対向面側に位置する第１部分と、前記吸収体の前記肌対向面側に位置し、着用状態において身体へ向かって起立する防漏カフを形成する第２部分とを有する請求項１〜８のいずれかに記載の着用物品。
【請求項１０】
前記防漏シートの耐水圧は、前記カバーシートの耐水圧よりも高い請求項４〜９のいずれかに記載の着用物品。
【請求項１１】
前記吸収体は、吸液性コアと前記吸液性コアを包被するコアカバーシートとを有し、
前記コアカバーシートのクレム吸水度は、４５ｍｍ以下である請求項１〜１０のいずれかに記載の着用物品。
【請求項１２】
前記コアカバーシートは、前記吸液性コアの前記肌対向面側を被覆する親水性の第１シートと、前記吸液性コアの前記非肌対向面を被覆する疎水性の第２シートとを有する請求項１１に記載の着用物品。
【発明の詳細な説明】
【技術分野】
【０００１】
この発明は、使い捨ておむつ、おむつカバー等の使い捨て着用物品に関する。
【背景技術】
【０００２】
特許文献１には、透液性の内面シート、不透液性の外面シートと、少なくともクロッチ域に位置する吸収体とを有し、吸収体と外面シートとの間に介在し、体液との接触によって呈色反応を示すインジケータを備える使い捨て着用物品が開示されている。
【先行技術文献】
【特許文献】
【０００３】
【特許文献１】特開２０１２−２９９６５号公報（Ｐ２０１２−２９９６５）
【発明の概要】
【発明が解決しようとする課題】
【０００４】
特許文献１に開示の使い捨て着用物品では、吸収体が吸液性コアとそれを包被するコアカバーシートとを有し、インジケータが吸収体と直接接触するので、吸収体に吸収、拡散された体液によってインジケータがすぐに呈色し、外部に排泄があったことを知らせることができる。
【０００５】
しかし、比較的に月齢の高い幼児や成人の着用者の場合には、着用物品を着用中に一度に排泄する尿の量が比較的に少なく、一度の排泄によって吸収体の保液量に達していない状態においてインジケータが呈色反応を示し、着用物品を交換することがあった。かかる場合には、吸収体の使用効率が悪くなるので、吸収体が十分に体液を吸収した状態で、インジケータが呈色するように、呈色反応を遅らせることが望まれていた。
【０００６】
そこで、本発明の目的は、従来の技術の改良であって、吸収体の全体に体液が拡散された後に呈色反応を示すインジケータ手段を備えた使い捨て着用物品の提供にある。
【課題を解決するための手段】
【０００７】
上記課題を達成するために、本発明は、縦方向、横方向及び厚さ方向を有し、肌対向面及び非肌対向面と、透液性の内面シートと、不透液性の外面シートとの間に介在された吸収体と、前記吸収体と前記外面シートとの間に位置し、体液との接触によって呈色反応を示すインジケータを有するインジケータ手段とを含む使い捨て着用物品に関する。
【０００８】
前記吸収体と前記インジケータ手段との間には、前記吸収体の底面の少なくとも一部を被覆する複数の防漏シートが配置されており、前記複数の防漏シートが互いに離間することによって離間部分が形成されており、前記インジケータは、前記厚さ方向において前記離間部分と重なる領域に位置することを特徴とする。
【０００９】
前記インジケータは、前記厚さ方向において前記離間部分と重なる領域にのみ位置するので、比較的に狭い範囲の離間部分を通過した体液がインジケータに向かって移動し、インジケータに接触する体液の範囲をコントロールすることができる。
【００１０】
前記離間部分の寸法は、前記インジケータの寸法とほぼ同じであることから、比較的に狭い範囲の離間部分を通過して体液がインジケータに向かって移動するので、インジケータに接触する体液の範囲をコントロールすることができる。
【００１１】
前記複数の防漏シートが前記横方向において互いに離間しており、前記離間部分の前記横方向の寸法は、前記吸収体の前記横方向の寸法の３〜１０％の大きさであるから、吸収体の底面に浸透してインジケータに向かって移動する体液量をコントロールすることができる。
【００１２】
前記インジケータ手段は、前記インジケータの前記肌対向面側を被覆する疎水性のカバーシートをさらに有し、前記カバーシートは、前記インジケータの前記横方向の外側において、前記防漏シートと前記外面シートとのうち少なくとも一方のシートと互いに固定されているので、離間部分の横方向の外側から体液がインジケータに接触するのを妨げることができる。
【００１３】
前記カバーシートは、前記インジケータの前記横方向の外側において前記縦方向へ延びる縦断接合部を介して前記一方のシートに固定されており、前記縦断接合部は、前記カバーシートの前記縦方向の端部まで延びているので、離間部分の横方向の外側から体液がインジケータに接触するのを妨げることができる。
【００１４】
前記カバーシートは、前記インジケータよりも前記縦方向の寸法が大きく、前記インジケータの前記縦方向の外側において前記横方向へ延びる横断接合部を介して前記一方のシートに固定されるので、離間部分の縦方向の外側から体液がインジケータに接触するのを妨げることができる。
【００１５】
前記吸収体は、前記横方向において、中央部と、前記中央部の両側に位置する両側部とを有し、前記離間部分は、前記中央部及び両側部のうちのいずれかに位置するので、吸収体の中央部又は両側部のいずれかにおいて吸収された体液をインジケータ手段に向かって通過させることができる。
【００１６】
前記防漏シートは、前記吸収体の前記非肌対向面側に位置する第１部分と、前記吸収体の前記肌対向面側に位置し、着用状態において身体へ向かって起立する防漏カフを形成する第２部分とを有するので、防漏カフを形成するシートとカバーシートに固定されるシートを別体に製造する場合に比べて、製造コストを抑えることができる。
【００１７】
前記防漏シートの耐水圧は、前記カバーシートの耐水圧よりも高いので、カバーシートよりも先に防漏シートを透過して体液がインジケータに接触することはない。
【００１８】
前記吸収体は、吸液性コアと前記吸液性コアを包被するコアカバーシートとを有し、前記コアカバーシートのクレム吸水度は、４５ｍｍ以下であるので、体液が吸液性コアに十分に吸収される前に拡散されて、インジケータに接触するのを抑制することができる。
【００１９】
前記コアカバーシートは、前記吸液性コアの前記肌対向面側を被覆する親水性の第１シートと、前記吸液性コアの前記非肌対向面を被覆する疎水性の第２シートとを有するので、体液が吸液性コアに十分に吸収される前に、カバーシートに浸透するので抑えることができる。
【発明の効果】
【００２０】
本発明に係る使い捨て着用物品によれば、吸収体全体に体液が拡散された後にインジケータが呈色反応するので、吸収体に十分に体液が吸収された状態を視認することができる。
【図面の簡単な説明】
【００２１】
図面は、本開示に係る本発明の特定の実施の形態を示し、発明の不可欠な構成ばかりでなく、選択的及び好ましい実施の形態を含む。
【図１】本開示に係る使い捨て着用物品の一例として示す使い捨ておむつの斜視図。
【図２】おむつを肌対向面側から視た、一部破断展開平面図。
【図３】おむつの分解斜視図。
【図４】図２のＩＶ−ＩＶ線に沿う断面図。
【図５】図４のＶ線で囲んだ領域の拡大図。
【図６】（ａ）インジケータ手段の配置態様を示す、肌対向面側から視た平面図。（ｂ）インジケータ手段の配置態様を示す、インジケータ手段のみを実線で示した、非肌対向面側から視た平面図。
【図７】（ａ）変形例１に係るおむつの図４と同様の断面図。（ｂ）変形例２に係るおむつの図４と同様の断面図。（ｃ）変形例３に係る図６（ａ）と同様の平面図。
【図８】（ａ）変形例４に係るおむつの図４と同様の断面図。（ｂ）変形例５に係るおむつの図４と同様の断面図。
【図９】変形例６に係るおむつの図４と同様の断面図。
【図１０】変形例７に係るおむつの図５と同様の断面図。
【発明を実施するための形態】
【００２２】
下記の実施の形態は、本発明の一例である図１〜図１０に示す、第１実施形態に係る使い捨ておむつ１０に関し、発明の不可欠な構成ばかりではなく、選択的及び好ましい構成を含む。図２において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。また、図４等の各断面図においては、説明の便宜上、インジケータ手段４０の配置された領域において厚さ方向Ｚの外側へ凸となる態様で示しているが、実際には、おむつ１０の外面においてこのように局所的に凸となる部分が形成されるわけではない。
【００２３】
図１〜図３を参照すると、本発明に係る使い捨て着用物品の一例である使い捨てのおむつ１０は、縦方向Ｙ及びそれに交差する横方向Ｘと、厚さ方向Ｚと、肌対向面及びその反対側の非肌対向面と、横方向Ｘの長さ寸法を二等分する縦断中心線Ｐと、縦方向Ｙの長さ寸法を二等分する横断中心線Ｑとを有し、縦断中心線に関してほぼ対称であり、前ウエスト域１１と、後ウエスト域１２と、前ウエスト域１１および後ウエスト域１２の間に位置するクロッチ域１３とを含む。
【００２４】
おむつ１０は、前ウエスト域を形成する前ウエストパネル１４と、後ウエスト域を形成する後ウエストパネル１５とから構成されたウエストパネル１６と、前後ウエストパネル１４，１５間において縦方向Ｙへ延び、クロッチ域１３を形成する吸収パネル１７とを有する。吸収パネル１７は、前ウエストパネル１４の肌対向面側に位置する前端部１９Ａと、後ウエストパネル１５の肌対向面に位置する後端部１９Ｂと、前後端部１９Ａ，１９Ｂ間に位置する中間部１９Ｃとを有する。本実施形態において、吸収パネル１７の前後端部１９Ａ，１９Ｂは、それぞれ、前後ウエスト域１１，１２の肌対向面側に位置しているが、前後端部１９Ａ，１９Ｂが前後ウエスト域１１，１２の非肌対向面に位置するように、吸収パネル１７を前後ウエストパネル１４，１５の外面に固定してもよい。
【００２５】
前ウエスト域１１の両側縁部と後ウエスト域１２の両側縁部とは、縦方向Ｙへ離隔して配置された複数のシーム１８によって互いに接合され、ウエスト開口１９と一対のレッグ開口２０とが画成されている。シーム１８は、ホットメルト接着剤等の各種接着剤による接着手段、ヒートシール、ソニック等の溶着手段による各種公知の接合手段またはそれらの組み合わせによって形成することができる。
【００２６】
前ウエストパネル１４は、前レッグ開口の一部を形成する内端縁（前ウエスト域の内端縁）１４ａと、前ウエスト開口を形成する外端縁（前ウエスト域の外端縁）１４ｂと、内外端縁１４ａ，１４ｂ間において縦方向Ｙへ延びる両側縁１４ｃ，１４ｄ（前ウエスト域の両側縁）とによって画定された横長矩形状を有する。また、前ウエストパネル１４は、不透液性の内外層シート２３，２４と、内外層シート２３，２４間において、横方向Ｘへ伸長状態で収縮可能に配置された複数条のストランド状又はストリング状の前ウエスト弾性体２５とを有する。
【００２７】
後ウエストパネル１５は、後レッグ開口の一部を形成する内端縁（後ウエスト域の内端縁）１５ａと、後ウエスト開口を形成する外端縁（後ウエスト域の外端縁）１５ｂと、内外端縁１５ａ，１５ｂ間において縦方向Ｙへ延びる両側縁（後ウエスト域の両側縁）１５ｃ，１５ｄとを有する。後ウエストパネル１５は、肌対向面側に位置する不透液性の内層シート２６と、非肌対向面側に位置する疎水性及び／又は不透液性の外層シート２７と、内外層シート２６，２７間において、横方向Ｘへ伸長状態で収縮可能に配置された複数条のストランド状又はストリング状の後ウエスト弾性体２８とを有する。
【００２８】
吸収パネル１７は、前後端縁１７ａ，１７ｂと両側縁１７ｃ，１７ｄとによって画定された縦長方形状であって、前後端部１９Ａ，１９Ｂが、前後ウエストパネル１４，１５の肌対向面にホットメルト接着剤を塗布してなる前後接合域（図示せず）を介して互いに接合されている。前後接合域におけるホットメルト接着剤の塗布パターンは、例えば、縦方向Ｙへ延びる複数のライン状のほかに、Ω状、スパイラル状、波状等の各種公知の形状を採用することができる。
【００２９】
吸収パネル１７は、吸収体３０と、吸収体３０の肌対向面側に位置する透液性の内面シート（身体側ライナ）３１と、吸収体３０の横方向Ｘの外側に位置する一対の防漏シート５０と、吸収体の非肌対向面側に位置する外面シート３２と、吸収体３０と外面シート３２との間に配置されたインジケータ手段４０とを有する。吸収体３０は、吸液性コア３５と吸液性コア３５の全体を包被するコアカバーシート３６とを有する。
【００３０】
吸収体３０は、所要の形状に賦形された半剛性のパネル形状であって、横方向Ｘへ延びる前後端縁３０ａ，３０ｂと、前後端縁３０ａ，３０ｂ間において縦断中心線Ｐに向かって（横方向Ｘの内側へ向かって）凸曲して延びる両側縁とを有する。吸液性コア３５は、フラッフ木材パルプと、超吸収性ポリマー粒子（ＳＡＰ）との混合物から形成されている。また、コアカバーシート３６は、吸液性コア３５の保形及び体液の拡散をするためのシートであって、比較的に肉薄の親水性シート（場合によっては、一部が疎水性のシートから形成される）、ティッシュペーパ等から形成される。吸収体３０は、さらに、横方向Ｘにおいて中央に位置する中央部と、中央部の両側に位置する両側部とを有し、中央部及び両側部は、それぞれ、例えば、吸収体３０の横方向Ｘの寸法を３等分した大きさを有する。ここで、吸収体３０の使用効率とは、吸収体３０の吸収容量の割合を意味するものであって、その保液量が限界に達した場合に、１００％の使用効率という。
【００３１】
外面シート３２は、疎水性又は実質的に不透液性のシート材料から形成されており、例えば、質量約１５〜３０ｇ／ｍ２のＳＭＳ繊維不織布やスパンボンド不織布等から形成される。防漏シート５０は、好ましくは通気性を有する、疎水性及び耐水性のシート材料、例えば、疎水性の繊維不織布や通気性プラスチックフィルムから形成される。
【００３２】
防漏シート５０は、厚さ方向Ｚにおいて吸収体の底面と対向する第１部分（主体部）５１と、第１部分の横方向Ｘの外側に位置する第２部分（両側部）５２とを有する。防漏シート５０の第１部分５１は、吸収体３０の非肌対向面側に位置しており、第２部分５２は、縦方向Ｙへ延びる一対の折曲ラインに沿って内面シート３１の肌対向面側に重なるように横方向Ｘの内側へ折り曲げられた状態で固定されている。第２部分５２は、前後ウエスト域１１，１２において内層シート２３，２６に固定された前後固定端部と、前後固定端部間において縦方向Ｙへ延びる両側固定部と、両側固定部の横方向Ｘの内側において縦方向Ｙへ延びる自由部５５とを有する。自由部５５の縁部は防漏シート５０の一部（第２部分５２の一部）を折り曲げて形成されており、該縁部には、ストリング状又はストランド状のカフ弾性体５６が伸長状態で収縮可能に取り付けられている。また、防漏シート５０の第１部分５１と第２部分５２とが互いに接合されて形成された吸収パネル１７の両側縁部には、縦方向Ｙへ延びるストリング状又はストランド状のレッグ弾性体５７が伸長状態で収縮可能に取り付けられている。防漏シート５０の第１部分５１と第２部分５２とは、別体のシートから形成してもよいが、１つのシートを折曲して用いることで、製造コストを抑えることができる。
【００３３】
インジケータ手段４０は、体液が接触することによって呈色反応を示すインジケータ４１と、インジケータ４１の肌対向面側を被覆するカバーシート（インジケータカバー）４２とを有する。インジケータ４１は、縦方向Ｙへ延び、かつ、互いに横方向Ｘにおいて離間する複数のライン状を有し、体液等の水分と接触して呈色反応を示す指示薬（例えば、ＰＨ指示薬）を含むホットメルト接着剤から形成される。インジケータ４１は、図示例に限定されるものではなく、単数のラインから形成されたものであってもよいし、横方向Ｘへ延びる複数又は単数のラインであったり、スパイラル状に連続的又は非連続的に延びるラインであったり、ドット状、円形、矩形等の各種公知の形状であってもよい。
【００３４】
図４〜図６を参照すると、カバーシート４２は、矩形状であって、吸収体３０と対向する第１面４３Ａとその反対側に位置する第２面４３Ｂと、横方向Ｘへ延びる両端縁４２ａ,４２ｂと、縦方向Ｙへ延びる両側縁４２ｃ、４２ｄとを有する。カバーシート４２は、好ましくは通気性を有する、疎水性かつ耐水性のシート材料、例えば、疎水性の繊維不織布や通気性を有するプラスチックフィルムから形成される。カバーシート４２は、インジケータ４１に体液が触れるのを防ぐためにその外形寸法よりも大きな外形寸法を有しており、インジケータ４１の両端よりも縦方向Ｙの外側に位置する両端部と、インジケータ４１の両側縁よりも横方向Ｘの外側に位置する両側部とを有する。カバーシート４２は、矩形の他に、円形、楕円形であってもよいし、縦方向Ｙ及び／又は横方向Ｘにおいて互いに離間する複数のシートから形成されていてもよい。
【００３５】
図４を参照すると、一対の防漏シート５０は、吸収体３０の底面側において、横方向Ｘにおいて互いに離間するように配置されている。具体的には、防漏シート５０の第１部分５１の端部５１ａ間には、横方向Ｘへ所与寸法延びる離間部分６０が形成されている。防漏シート５０の第１部分５１は、このように横方向Ｘにおいて互いに離間した状態で、厚さ方向Ｚにおいて互いに対向するインジケータ手段４０のカバーシート４２の第１面４３Ａと第１接合域６１で接合されている。また、カバーシート４２は、第２面４３Ｂが外面シート３２と第２接合域６２で接合されている。したがって、カバーシート４２は、防漏シート５０と外面シート３２との間において、厚さ方向Ｚにおいて両面に配置された第１及び第２接合域６１，６２によって安定的に固定されている。また、防漏シート５０と外面シート３２とは、第１接合域６１の横方向Ｘの外側に位置する第３接合域６３において互いに接合されている。第１〜第３接合域６１〜６３は、好ましくは疎水性を有するホットメルト接着剤等の公知の接着手段の他にヒートシール等の公知の溶着手段から形成される。インジケータ手段４０は、防漏シート５０の離間部分６０と厚さ方向Ｚにおいて重なる領域にのみ位置している。
【００３６】
図６（ａ）は、インジケータ手段４０の配置態様を示す、インジケータ手段４０と第１接合域６１のみを実線で表した、肌対向面側から視た平面図、図６（ｂ）は、インジケータ手段４０の配置態様を示す、インジケータ手段４０と第２接合域６２のみを実線で表した、非肌対向面側から視た平面図である。
【００３７】
図６（ａ）を参照すると、第１接合域６１は、カバーシート４２の外形ラインに沿って、かつ、インジケータ４１を囲むように配置されており、カバーシート４２の両端部において横方向Ｘへ延びる横断接合部６１ａ，６１ｂと、カバーシート４２の両側部において縦方向Ｙ延びる縦断接合部６１ｃ，６１ｄとを有する。
【００３８】
図６（ｂ）を参照すると、第２接合域６２は、カバーシート４２の外形ラインに沿って、かつ、インジケータ４１を囲むように配置されており、カバーシート４２の両端部において横方向Ｘへ延びる横断接合部６２ａ，６２ｂと、カバーシート４２の両側部において縦方向Ｙ延びる縦断接合部６２ｃ，６２ｄとを有する。
【００３９】
従来のインジケータ手段を備えたおむつにおいて、インジケータが吸収体に直接触れるように配置されている場合には、体液が吸収体に吸収されると同時にインジケータが呈色反応を示すので、母親等の着用補助者は、排泄されたことをすぐに知ることができるが、その場合には、吸収体への体液の吸収量がまだ少ない状態（例えば、使用効率５０％以下）でおむつを交換することになるので、吸収体の使用効率が悪くなる。また、インジケータと吸収体との間に、疎水性のカバーシートを配置することによって、インジケータの呈色反応速度を遅らせて、吸収体が一定程度の体液を吸収した後におむつを交換できるようにすることもある。しかしながら、カバーシートの配置領域以外の部分から体液が浸透することによってインジケータに接触することがあり、かかる場合には、所期の吸収体の保液量に達していない状態で、インジケータが呈色反応してしまうおそれがある。一方、かかる事態を避けるために、インジケータの吸収体と対向する面を防漏シートで被覆した場合には、体液がインジケータに接触できなくなるおそれがある。
【００４０】
本実施形態に係るおむつ１０において、着用者が排泄したときには、体液が内面シート３１を透過して吸収体３０に吸収、拡散され、離間部分６０を通過してカバーシート４２の第１面４３Ａに移動する。カバーシート４２は、疎水性かつ所要の耐水性を有することによって、すぐに体液が透過してインジケータ４１に接触することはない。
【００４１】
インジケータ４１は、防漏シート５０の離間部分６０と厚さ方向Ｚにおいて重なる領域に位置することから、比較的に狭い離間部分６０を通過した体液によって呈色される。すなわち、吸収体３０の底面まで体液が浸透し、カバーシート４２の耐水圧を超える程度にまで吸収体３０の保液量が達したときに、体液がカバーシート４２を透過してインジケータ４１に接触する。したがって、離間部分６０の寸法を適当な大きさにコントロールすることによって、着用補助者は、吸収体３０の吸収容量を十分に活用したことを視認しておむつ１０の適正な交換時期を把握することができる。例えば、着用者が１度に少量の体液を排泄した場合には、体液がインジケータ４１に接触して呈色することはなく、複数回の排泄の後であって吸収体３０の保液量が一定以上になった場合にのみ呈色反応を示すことになるので、吸収体３０の吸収性能を十分に発揮させた状態で、おむつ１０の適正な交換時期を容易に把握することができる。これにより、吸収体３０の使用効率の１００％近くに達するまでおむつ１０を使用することができる。
【００４２】
このように、吸収体３０の保液量が一定以上になった場合にのみ体液をカバーシート４２の第１面４３Ａに移動させるために、離間部分６０の寸法（横方向Ｘの寸法）Ｒ１は、吸収体３０の横方向Ｘの寸法Ｗ１の３〜１０％の大きさであることが好ましい。寸法Ｒ１が寸法Ｗ１の３％以下の場合には、離間部分６０が比較的に狭くなり過ぎてそこを通過する体液の量が必要以上に制限されて、インジケータ４１の反応が遅れ、吸収体３０の使用効率が１００％を超えた状態になってから呈色するおそれがある。一方、寸法Ｒ１が寸法Ｗ１の１０％以上の場合には、離間部分６０が比較的に広くなりすぎて、そこを通過する体液の量が大きくなり、インジケータ４１が速く反応し、例えば、吸収体３０の使用効率が６０〜８０％の状態で呈色してしまうおそれがある。
【００４３】
また、防漏シート５０の第１部分５１の端部５１ａとカバーシート４２とが、第１接合域６１で接合されている。第１接合域６１は、厚さ方向Ｚにおいて、インジケータ４１を囲むようにカバーシート４２の外形ラインに沿って配置されている。かかる配置態様を有することから、カバーシート４２の両端部に位置する横断接合部６１ａ，６１ｂによって、両端縁４２ａ、４２ｂから縦方向Ｙの内側に体液が移動するのが抑制され、カバーシート４２の両側部に位置する縦断接合部６１ｃ，６１ｄによってカバーシート４２の両側縁４２ｃ、４２ｄから横方向Ｘの内側へ体液が移動するのが抑制される。
【００４４】
また、第２接合域６２は、厚さ方向Ｚにおいて、第１接合域６１と同様に、インジケータ４１を囲むようにカバーシート４２の外形ラインに沿って配置されている。かかる配置態様を有することから、第１接合域６１の横断接合部６１ａ，６１ｂを越えて縦方向Ｙの外側へ体液が移動し、それがカバーシート４２の第２面４３Ｂに回り込むように移動しても、横断接合部６２ａ，６２ｂによって体液がインジケータ４１に到達するのを防ぐことができる。また、第１接合域６１の縦断接合部６１ｃ，６１ｄを越えて横方向Ｘの外側へ体液が移動し、それがカバーシート４２の第２面４３Ｂに回り込むように移動しても、縦断接合部６２ｃ，６２ｄによって体液がインジケータ４１に到達するのを防止することができる。
【００４５】
第１及び第２接合域６１，６２は、吸収体３０の保液量が一定以上になった場合にのみインジケータ４１に体液が接触する限りにおいて、横断接合部６１ａ，６１ｂ，６２ａ，６２ｂのみから形成されていてもよいし、縦断接合部６１ｃ，６１ｄ，６２ｃ，６２ｄのみから形成されていてもよい。例えば、第１及び第２接合域６１，６２が縦断接合部６１ｃ，６１ｄ，６２ｃ，６２ｄのみから形成されている場合であっても、カバーシート４２の両端において体液が第１面４３Ａから第２面４３Ｂへ回り込むように移動するときには、吸収体３０の端部にまで体液が拡散した後になるので、吸収体３０の使用効率が十分に発揮されたときにインジケータ４１が呈色する。なお、図示例では、横断接合部６１ａ，６１ｂ，６２ａ，６２ｂと縦断接合部６１ｃ，６１ｄ，６２ｃ，６２ｄは、１つのライン状であるが、ウエーブ状やスパイラル状等の各種の公知の形状であってもよいし、横方向Ｘからの体液の移動が抑制される限りにおいて、単数ではなく複数の接合ラインであってもよいし、各種の形状を有する複数の接合ラインが互いに重なって形成されていてもよい。
【００４６】
図５を参照すると、吸収体３０の横方向Ｘの寸法Ｗ１は、９０〜１２０ｍｍ、カバーシート４２の横方向Ｘの寸法（インジケータ手段４０の横方向Ｘの寸法）Ｗ２は２０〜３０ｍｍ、離間部分６０の横方向Ｘの寸法Ｒ１は５．０〜１０．０ｍｍである。また、インジケータ４１の横方向Ｘの寸法Ｗ３は４．０〜７．０ｍｍ、１つのインジケータ４１の横方向Ｘの寸法は１．０〜３．０ｍｍ、インジケータ４１間の離間寸法Ｒ２は、２．０〜４．０ｍｍである。また、第１接合域６１の縦断接合部６１ｃ，６１ｄの横方向Ｘの寸法は、４．０〜７．０ｍｍである。
【００４７】
離間部分６０の横方向の寸法Ｒ１は、インジケータ４１に対する横方向Ｘからの体液の接触を防ぐために、インジケータ４１の横方向Ｘの寸法Ｗ３と同じであるか又はそれよりも僅かに大きいことが好ましい。かかる場合には、インジケータ４１が、厚さ方向Ｚにおいて離間部分６０と重なる領域にのみ位置する。具体的には、離間部分６０の横方向Ｘの寸法Ｒ１は、インジケータ４１の横方向Ｘの寸法Ｗ３よりも０〜３ｍｍ大きいことが好ましい。両寸法の寸法差が３．０ｍｍ(インジケータ４１の両側において、１．５ｍｍ)以上の場合には、吸収体３０の底面からカバーシート４２の第１面に移動する体液の量が比較的に多くなり、吸収体３０全体に体液が拡散される前に体液がカバーシート４２の耐水圧を超えて」、第２面側へ浸透するおそれがある。
【００４８】
一方、離間部分６０の横方向Ｘの寸法Ｒ１は、インジケータ４１の横方向Ｘの寸法Ｗ３よりも小さく、インジケータ４１の一部が防漏シート５０の第１部分５１と厚さ方向Ｚにおいて重なっていてもよい。かかる場合であっても、インジケータ４１の一部が離間部分６０と厚さ方向Ｚにおいて重なる領域に位置するので、カバーシート４２に到達した体液によって呈色しうる。
【００４９】
また、防漏シート５０のうちの少なくとも第１部分５１の耐水圧は、カバーシート４２の耐水圧よりも高いことが好ましい。具体的には、防漏シート５０の耐水圧は、９０〜１００ｍｍ、カバーシートの耐水圧は、７５〜８０ｍｍである。防漏シート５０の耐水圧が比較的に高いことによって、離間部分６０の両側から体液が非肌対向面側へ移動してインジケータ４１に触れるのを防止することができる。また、カバーシート４２の第１面４３Ａ上に位置する体液が、カバーシート４２を透過せずに防漏シート５０を透過して非肌対向面側へ移動するのを抑制することができる。
【００５０】
＜耐水圧の測定方法＞
耐水圧は、ＪＩＳ−Ｌ１０９２  耐水度試験Ａ法（低水圧法）に基づいて測定した。具体的には、１６０ｍｍ×１６０ｍｍに切り取った各シート５０，４２をサンプルとして用い、蒸留水を入れた水準装置を１０ｃｍ／分の速さで上昇させ、シート表面から水滴が出てきたときのメータの水位を測定し、この値を耐水圧とした。
【００５１】
コアカバーシート３６のクレム吸水度は、４５ｍｍ以下、好ましくは、１５ｍｍ以下である。吸収体３０において、吸液性コア３５を包被するコアカバーシート３６の吸水性が比較的に高い場合には、体液の拡散性が高くなり、離間部分６０から比較的に早くカバーシート４２に体液が浸透するおそれがあるところ、クレム吸水度が、かかる範囲内にあることによって、体液の拡散性が高くなり過ぎることはなく、浸透の速度をコントロールすることができる。
【００５２】
＜クレム吸水度の測定方法＞
コアカバーシート３６のクレム吸水度の測定は、クレム吸水試験（ＪＩＳ−Ｌ１９０７、Ｐ８１４１）に準拠して行った。測定器具として、ものさし、ストップウォッチ、プラスチック容器及び人工尿（青色１号で着色）を用いた。コアカバーシート３６から幅２５ｍｍ、長さ１５０ｍｍの大きさに切り取ったシートをサンプル（Ｎ＝３）とした。まず、人工尿をプラスチック容器に人工尿の深さが１０ｍｍ以上となるまで入れた。次に、採取した試験片を固定チャックで固定し、サンプル先端から５ｍｍの深さで人工尿に浸るようセットした。これをそのままの状態で１２０秒放置した（環境：温度２０゜Ｃ／湿度６０％）。人工尿がサンプルを伝い上昇し、サンプル上における吸い上げ距離を人工尿の表面から測定した。吸い上げ距離の長い方が、クレム吸水度が高いことを示している。
【００５３】
図示していないが、カバーシート４２は、縦方向Ｙの長さ寸法が外面シート３２と同じであってもよいし、外面シート３２と同形同大であってもよい。また、インジケータ４１が、カバーシート４２よりも縦方向Ｙの外側へ延出していてもよい。かかる場合には、カバーシート４２に被覆されていないインジケータ４１の両端部に、離間部分６０を通過した体液が直接接触されるので、吸収体３０の全体に体液が拡散されたときに速やかにインジケータ４１の両端を呈色させることができる。これにより、着用補助者は、吸収体３０の両端まで体液が拡散されたことを容易に視認することができる。
【００５４】
＜第１変形例＞
図７（ａ）は、第１変形例における図４と同様の断面図である。本変形例においては、カバーシート４２の第２面４３Ｂに第２接合域６２が配置されておらず、第１面４３Ａに位置する第１接合域６１によって、カバーシート４２は防漏シート５０にのみ固定されている。かかる変形例であっても、カバーシート４２の耐水圧を超えて体液が保液されない限りは、インジケータ４１に到達することはない。
【００５５】
＜第２変形例＞
図７（ｂ）は、第２変形例における図４と同様の断面図である。本変形例においては、カバーシート４２の第１面４３Ａに第１接合域６１が配置されておらず、カバーシート４２は第２面４３Ｂに位置する第２接合域６２を介して外面シート３２にのみ固定されている。本変形例においても、カバーシート４２の両側縁から第２面４３Ｂに位置するインジケータ４１に向かう体液が第２接合域６２によってブロックされるので、体液の保液量がカバーシート４２の耐水圧を超えたときにのみインジケータ４１に接触される。
【００５６】
＜第３変形例＞
図７（ｃ）は、第３変形例における図６（ａ）と同様の断面図である。本変形例においては、防漏シート５０の第１部分７１，７２が、縦方向Ｙにおいて離間して配置されており、互いに離間する（縦断）離間部分６０が形成されている。インジケータ手段４０のインジケータ４１は、厚さ方向Ｚにおいて、離間部分６０と重なるように配置されている。カバーシート４２は、縦方向Ｙにおいて互いに向い合うように配置された略コ字状の第１接合域の横断接合部６１ａ，６１ｂで第１部分７１，７２に固定されている。本変形例においても、体液の保液量がカバーシート４２の耐水圧を超えた場合においてのみ、体液がインジケータ４１に到達しうる。
【００５７】
＜第４変形例＞
図８（ａ）は、第４変形例における図４と同様の断面図である。本変形例においては、インジケータ手段４０が、吸収体３０の側部と対向するように、縦断中心線Ｐを基準として側縁１７ｄ側に偏倚して位置している。インジケータ手段４０を吸収体３０の中央部と対向して配置し、中央部にのみ集中的に体液が排泄された場合には、吸収体３０の使用効率が１００％未満であってもインジケータ４１が呈色するおそれがあるが、このように、インジケータ手段４０が、吸収体３０の側部と対向して位置することによって、吸収体３０の中央部から側部に体液が拡散してその保液量が一定以上になった後に、インジケータ４１が呈色するので、吸収体３０の側部の吸収性能を十分に発揮させてから確実に呈色反応を示すことができる。図示していないが、インジケータ４１は、縦方向Ｙではなく、横方向Ｘに延びていてもよい。
【００５８】
＜第５変形例＞
図８（ｂ）は、第５変形例における図４と同様の断面図である。本変形例においては、カバーシート５０Ｃ〜５０Ｅが、バリアカフを形成する一対の（サイド）シート５０Ｃ，５０Ｄと、それらの間に位置する（中央）シート５０Ｅとから構成されている。シート５０Ｅは、外面シート３２と接合部６４で固定されている。また、インジケータ手段８０Ａ，８０Ｂが、縦断中心線Ｐを基準として側縁１７ｃ側に位置する第１インジケータ手段８０Ａと、縦断中心線Ｐを基準として、側縁１７ｄ側に位置する第２インジケータ手段８０Ｂとから構成されている。第１及び第２インジケータ手段８０Ａ，８０Ｂは、それぞれ、防漏シート５０に固定されたカバーシート８２Ａ，８２Ｂと、カバーシート４２の第２面４３Ｂに位置するインジケータ８１Ａ，８１Ｂとを有する。
【００５９】
＜第６変形例＞
図９は、第６変形例における図４と同様の断面図である。本変形例においては、コアカバーシート３６が、吸液性コア３５の肌対向面側を被覆する第１シート９２Ａと、吸液性コア３５の非肌対向面側を被覆する第２シート９２Ｂとを有する。第１シート９２Ａは、親水性を有し、体液を吸液性コア３５の表面全体に拡散させる一方、第２シート９２Ｂは、疎水性及び耐水性を有する、例えば、質量１０〜１５ｇ／ｍ２のスパンボンド繊維不織布から形成されており、吸液性コア３５の保液量が一定以上になるまで、体液が非肌対向面側（カバーシート４２）へ浸透するのを抑制することができる。また、第１シート９２Ａの両側縁部と第２シート９２Ｂの両側縁部とが互いに積層された状態で固定され、積層部分９３が形成されている。また、外面シート９２とインジケータ手段４０との間には、体液の外部への漏れを防止するために、防漏フィルム９０が配置されている。
【００６０】
＜第７変形例＞
図１０は、第７変形例における図４と同様の断面図である。本変形例においては、インジケータ４１の一部が、防漏シート５０の第１部分５１と厚さ方向において重なって位置している。離間部分６０の横方向Ｘの寸法Ｒ１は、４．０〜６．０ｍｍ、インジケータ４１の横方向Ｘの寸法Ｗ３は、５．０〜７．０ｍｍであって、寸法Ｗ３が寸法Ｒ１よりも大きくなっている。かかる場合であっても、離間部分６０を通過した体液量が、カバーシート４２の耐水圧以上になった場合に、インジケータ４１に対して肌対向面側から浸透されるので、吸収体３０の使用効率が一定以上になった場合にのみ、インジケータ４１を呈色させることができる。
【００６１】
本明細書において、使い捨て着用物品の一例として、前後ウエスト域１１，１２を形成する前後ウエストパネル１４、１５と、クロッチ域１３を形成する吸収パネル１７との３つのパネル部材から構成されたおむつ１０について説明したが、前後ウエストパネル１４、１５を別体ではなく、ウエスト周り方向へ連続して延びる環状の１つのウエストパネルから形成してもよい。また、前後ウエスト域１１，１２及びクロッチ域１３を形成する１つの吸収パッドや、それらの各領域１１，１２，１３を有しない取り換え可能な吸収パッドや生理用の吸収性物品から形成されていてもよい。
【００６２】
本発明の使い捨て着用物品を構成する各構成部材には、明細書に記載されている材料のほかに、この種の物品において通常用いられている各種公知の材料を制限なく用いることができる。また、明細書及び特許請求の範囲において、「第１」及び「第２」等の用語は、同様の要素、位置等を単に区別するために用いられる。
【符号の説明】
【００６３】
１０  使い捨て着用物品
３０  吸収体
３１  内面シート
３２  外面シート
３５  吸液性コア
３６  コアカバーシート
４０  インジケータ手段
４１  インジケータ
４２  カバーシート
５０  防漏シート
５１  第１部分
５１ａ  第１部分の端部
５２  第２部分
６０  離間部分
６１  第１接合域
６２  第２接合域
６１ａ，６１ｂ，６２ａ，６２ｂ  横断接合部
６１ｃ，６１ｄ，６２ｃ，６２ｄ  縦断接合部
７１，７２  第１部分（防漏シート）
８０Ａ，８０Ｂ  第１，第２インジケータ手段
８１Ａ，８１Ｂ  インジケータ
８２Ａ，  ８２Ｂ  カバーシート
９０  防漏フィルム
９２Ａ  第１シート
９２Ｂ  第２シート
Ｒ１  離間部分の寸法（離間部分の横方向の寸法）
Ｗ１  吸収体の横方向の寸法
Ｘ  横方向
Ｙ  縦方向
Ｚ  厚さ方向
【図１】
0006407123.tif 000002
【図２】
0006407123.tif 000003
【図３】
0006407123.tif 000004
【図４】
0006407123.tif 000005
【図５】
0006407123.tif 000006
【図６】
0006407123.tif 000007
【図７】
0006407123.tif 000008
【図８】
0006407123.tif 000009
【図９】
0006407123.tif 000010
【図１０】
0006407123.tif 000011